(57)【要約】【課題】再熱除湿運転時に、設定温度を維持しつつ除湿を行って快適性を得ると共に、総消費電力も低減することが可能な空気調和機を提供すること。【解決手段】圧縮機１０、減圧機能を有する室内電子膨張弁２４を介して接続された第１室内熱交換器１２と第２室内熱交換器１３からなる室内熱交換器および室外熱交換器１１を含む冷凍サイクルを備え、第１室内熱交換器１２を加熱器として作用させると共に、第２室内熱交換器１３を冷却器として作用させる再熱除湿運転可能な空気調和機であって、再熱除湿運転時に運転開始してから所定時間経過後、室内温度が予め設定された設定温度の所定の範囲内であれば、制御部２０は、圧縮機１０の運転を一定時間停止させるように制御する。【選択図】図１
2013204937.tif 000002
【特許請求の範囲】
【請求項１】
圧縮機、室内熱交換器および室外熱交換器を含む冷凍サイクルを備え、前記室内熱交換器は、減圧機能を有する膨張弁を介して接続された第１室内熱交換器と第２室内熱交換器からなり、前記第１室内熱交換器を加熱器として作用させると共に、前記第２室内熱交換器を冷却器として作用させる再熱除湿運転可能な空気調和機であって、
室内温度を検知する室内温度センサと、
時間を計時する計時部と、
前記冷凍サイクルおよび前記各部を制御する制御部とを備え、
前記再熱除湿運転時、
前記再熱除湿運転開始してから所定時間経過後、前記温度センサにより検知された室内温度が予め設定された設定温度の所定の範囲内であれば、前記制御部は、前記圧縮機の運転を一定時間停止させることを特徴とする空気調和機。
【請求項２】
前記室内温度と前記設定温度との差に応じて、前記圧縮機の長さの異なる複数の停止時間を記憶した記憶部をさらに備え、
前記制御部は、前記圧縮機の運転を停止する際に、前記室内温度センサにより検知された前記室内温度と前記設定温度との温度差に応じて前記記憶部に記憶された停止時間を選択して前記圧縮機を制御することを特徴とする請求項１に記載の空気調和機。
【請求項３】
外気温度を検知する外気温度センサと、
外気温度に応じて前記圧縮機の長さの異なる複数の停止時間を記憶した記憶部とをさらに備え、
前記制御部は、前記室内温度センサにより検知された室内温度と前記外気温度センサにより検知する外気温度との温度差を前記記憶部に記憶した停止時間の数と同数に区分し、前記温度差の区分が小さい順から大きい順に対応して前記停止時間の長い順から短い順に選択して前記圧縮機を停止させるように制御することを特徴とする請求項１に記載の空気調和機。
【請求項４】
室内湿度を検知する室内湿度センサと、
室内湿度に応じて前記圧縮機の長さの異なる複数の運転時間を記憶した記憶部とをさらに備え、
前記制御部は、再熱除湿運転開始する際、前記室内湿度センサにより検知された室内湿度に応じて前記記憶部に記憶された運転時間を選択して前記圧縮機を制御することを特徴とする請求項１に記載の空気調和機。
【請求項５】
室内送風機を備え、
前記制御部は、前記圧縮機の運転が停止中に、前記室内送風機の運転を継続するように制御することを特徴とする請求項１乃至４のいずれか一つに記載の空気調和機。
【発明の詳細な説明】
【技術分野】
【０００１】
本発明は、再熱除湿運転により除湿を行う空気調和機に関する。
【背景技術】
【０００２】
空気調和機は、冷房運転の他に除湿運転が備わっていて、除湿運転には冷房除湿運転と再熱除湿運転の２つの方式がある。
【０００３】
冷房除湿運転は、冷房運転を行なうことで除湿し、設定温度と室内温度との差が小さくなると、圧縮機の出力を落として運転するが、冷房による除湿運転のため室内温度が下がり、その結果寒く感じられて快適性が低下することがある。
【０００４】
一方で、再熱除湿運転は、室内熱交換器として加熱器と冷却器の２つを備えることによって、冷却器で冷却することで除湿し、加熱器で加温することで、室温を下げずに除湿ができ、室内温度を設定温度に維持しつつ快適性も得ることができる。このような再熱除湿運転を行う空気調和機としては、例えば特許文献１などに開示されている。
【先行技術文献】
【特許文献】
【０００５】
【特許文献１】特開平７−１３９８４８号公報
【発明の概要】
【発明が解決しようとする課題】
【０００６】
しかしながら、このような空気調和機で行われる再熱除湿運転は、冷房除湿運転に比べて、除湿する冷却器の容量が小さくなるため、同じ除湿効果を得ようとすると循環する冷媒量を増やすために圧縮機の出力を大きくしなければならず消費電力が大きくなるという問題がある。
【０００７】
図７は、従来の冷房除湿運転中の消費電力と経過時間との関係を示す線図であり、図８は、図７の冷房除湿運転中の室温の変化を示す線図であり、図９は、従来の再熱除湿運転中の消費電力と経過時間との関係を示す線図であり、図１０は、図９の再熱除湿運転中の室温の変化を示す線図である。
【０００８】
冷房除湿運転時において圧縮機が稼働している間（ＯＮ状態）の消費電力は、図７に示すように、例えば冷房能力２．８ＫＷ相当の空気調和機で約３００Ｗ程度ある。例えば、冷房除湿運転時の設定温度を２８℃に設定した場合は、図８に示すように、室温が設定温度よりも低くなる傾向にあって、２６℃付近でサーモオフして圧縮機を停止させて室内温度がさがらないようにする。圧縮機が停止中の消費電力は、圧縮機が運転している時と比較して非常に小さくなる。再び室温が上昇し、温度センサが３０℃を検知すると、圧縮機を再稼働させて冷房除湿運転が行われる。このように、冷房除湿運転時は、室内温度が設定温度の許容範囲内に収まるようにサーモオンとサーモオフを交互に切り替える間欠運転を行うため、その結果、図７に示すように消費電力が抑えられることになる。しかしながら、冷房除湿運転は、室内温度が設定温度の許容範囲より下がらないうちはサーモオフしないため、その期間は、利用者が寒く感じて快適性が得られにくいという問題があった。
【０００９】
これに対し、再熱除湿運転の場合は、図１０に示すように、室内温度を設定温度付近で一定に保ちつつ除湿を行うことが可能であるため、除湿を行ないながら快適性を得ることができる。しかしながら、再熱除湿運転では、室温が一定に保たれることからサーモオフが起き難く、冷房除湿のような間欠運転が行われ難いため、図９に示すように、圧縮機が連続的に運転する状態が継続する。特に、再熱除湿運転時における消費電力は、図９に示すように、冷房除湿運転時の３００Ｗ（図７参照）よりも高い４００Ｗ程度あって、その消費電力が連続運転中に継続することから、間欠運転を行う冷房除湿運転時と比べると、総消費電力が大きくなるという問題があった。
【００１０】
本発明は、上記に鑑みてなされたものであって、再熱除湿運転時に、設定温度を維持しつつ除湿を行って快適性を得ると共に、総消費電力も低減することが可能な空気調和機を提供することを目的とする。
【課題を解決するための手段】
【００１１】
上述した課題を解決し、目的を達成するために、本発明の空気調和機は、圧縮機、室内熱交換器および室外熱交換器を含む冷凍サイクルを備え、前記室内熱交換器は、減圧機能を有する膨張弁を介して接続された第１室内熱交換器と第２室内熱交換器からなり、前記第１室内熱交換器を加熱器として作用させると共に、前記第２室内熱交換器を冷却器として作用させる再熱除湿運転可能な空気調和機であって、室内温度を検知する室内温度センサと、時間を計時する計時部と、前記冷凍サイクルおよび前記各部を制御する制御部とを備え、前記再熱除湿運転開始してから所定時間経過後、前記温度センサにより検知された室内温度が予め設定された設定温度の所定の範囲内であれば、前記制御部は、前記圧縮機の運転を一定時間停止させることを特徴とする。
【００１２】
また、本発明の空気調和機において、前記室内温度と前記設定温度との差に応じて、前記圧縮機の長さの異なる複数の停止時間を記憶した記憶部をさらに備え、前記制御部は、前記圧縮機の運転を停止する際に、前記室内温度センサにより検知された前記室内温度と前記設定温度との温度差に応じて前記記憶部に記憶された停止時間を選択して前記圧縮機を制御することを特徴とする。
【００１３】
また、本発明の空気調和機において、外気温度を検知する外気温度センサと、外気温度に応じて前記圧縮機の長さの異なる複数の停止時間を記憶した記憶部とをさらに備え、前記制御部は、前記室内温度センサにより検知された室内温度と前記外気温度センサにより検知する外気温度との温度差を前記記憶部に記憶した停止時間の数と同数に区分し、前記温度差の区分が小さい順から大きい順に対応して前記停止時間の長い順から短い順に選択して前記圧縮機を停止させるように制御することを特徴とする。
【００１４】
また、本発明の空気調和機において、室内湿度を検知する室内湿度センサと、室内湿度に応じて前記圧縮機の長さの異なる複数の運転時間を記憶した記憶部とをさらに備え、前記制御部は、再熱除湿運転開始する際、前記室内湿度センサにより検知された室内湿度に応じて前記記憶部に記憶された運転時間を選択して前記圧縮機を制御することを特徴とする。
【００１５】
また、本発明の空気調和機において、室内送風機を備え、前記制御部は、前記圧縮機の運転が停止中に、前記室内送風機の運転を継続するように制御することを特徴とする。
【発明の効果】
【００１６】
本発明によれば、再熱除湿運転中に圧縮機を所定時間停止させるようにして間欠運転制御を繰り返し行うようにすることで、設定温度付近の室温を維持しつつ除湿を行うことで快適性が得られると共に、総消費電力の低減が可能な空気調和機を得ることができるという効果を奏する。
【図面の簡単な説明】
【００１７】
【図１】図１は、本実施例にかかる空気調和機の冷凍サイクルの構成図である。
【図２】図２は、本実施例にかかる空気調和機の構成を示すブロック図である。
【図３】図３は、体感温度の指標例を示す図である。
【図４】図４は、本実施例にかかる空気調和機の涼風運転モードにおける制御動作例を説明するフローチャートである。
【図５】図５は、図４の涼風運転モードにおける再熱除湿運転中の消費電力と経過時間との関係を示す線図である。
【図６】図６は、図５の再熱除湿運転中の室温の変化を示す線図である。
【図７】図７は、従来の冷房除湿運転中の消費電力と経過時間との関係を示す線図である。
【図８】図８は、図７の冷房除湿運転中の室温の変化を示す線図である。
【図９】図９は、従来の再熱除湿運転中の消費電力と経過時間との関係を示す線図である。
【図１０】図１０は、図９の再熱除湿運転中の室温の変化を示す線図である。
【発明を実施するための形態】
【００１８】
以下に、本発明にかかる空気調和機の実施例を図面に基づいて詳細に説明する。なお、以下の説明により本発明が限定されるものではない。また、以下の説明による構成要素には、当業者が置換可能かつ容易なもの、或いは実質的同一のもの、いわゆる均等の範囲のものが含まれる。また、この実施例に記載された複数の変形例は、当業者自明の範囲内にて任意に組み合わせが可能である。
【実施例】
【００１９】
まず、本実施例にかかる再熱除湿運転可能な空気調和機の構成について説明する。図１は、本実施例にかかる空気調和機の冷凍サイクルの構成図であり、図２は、本実施例にかかる空気調和機の構成を示すブロック図であり、図３は、体感温度の指標例を示す図である。
【００２０】
本実施例にかかる空気調和機４０は、図１に示すように、再熱除湿運転を行う場合、冷媒流路である主配管を介して圧縮機１０、四方弁２２、室外熱交換器１１、室外電子膨張弁（減圧器）２３、第１室内熱交換器１２、室内電子膨張弁（減圧器）２４、および第２室内熱交換器１３を経て、再び四方弁２２を経由して圧縮機１０に戻るように接続されたヒートパイプ式の冷凍サイクルによって構成されている。室内側熱交換器３０を構成している第１室内熱交換器１２および第２室内熱交換器１３は、途中で分岐させた主配管にそれぞれ並列に配置し、第１室内熱交換器１２の下流側には第１電磁弁２５を配置し、第２室内熱交換器１３の上流側には第２電磁弁２６をそれぞれ配置している。そして、第１室内熱交換器１２と第１電磁弁２５との間の主配管と、第２室内熱交換器１３と第２電磁弁２６との間の主配管は、室内電子膨張弁２４を介して接続されている。
【００２１】
空気調和機４０全体を制御する制御部２０には、図１および図２に示すように、室内温度センサ１５、外気温度センサ２１、室内湿度センサ１６、計時部１９、圧縮機１０、室内送風機１４、記憶部としてのメモリ１８、各種弁（２２〜２６）の開閉駆動や切り換え駆動を行う各種弁開閉部２７、および、リモコン１７から送られてくる操作信号を受信する受信部２８などが接続されている。この制御部２０は、ＣＰＵ（中央処理ユニット）もしくはＭＰＵ（マイクロプロセッサ）により構成されている。
【００２２】
このように構成された空気調和機４０において、通常の冷房運転時は、制御部２０が各種弁開閉部２７を介して、第１電磁弁２５および第２電磁弁２６を開き、室内電子膨張弁２４を閉じるように制御することで、第１室内熱交換器１２と第２室内熱交換器１３の両方を蒸発器として使用することができる。また、再熱除湿運転時は、制御部２０が各種弁開閉部２７を介して、第１電磁弁２５および第２電磁弁２６を閉じ、室内電子膨張弁２４を開くように制御することで、第１室内熱交換器１２を凝縮器とし、第２室内熱交換器１３を蒸発器として使用する。再熱除湿運転時に室内送風機１４を回転させると、図１に示すように、室内吸込空気Ｘ（白抜き矢印）は第２室内熱交換器１３で冷却除湿された後、第１室内熱交換器１２で加熱されてから、室内吹出空気Ｙ（白抜き矢印）となって室内に戻されるため、室内温度を下げることなく除湿を行うことができる。
【００２３】
本実施例の空気調和機の特徴的な構成としては、再熱除湿運転中に圧縮機を所定時間停止させた後、運転を再開させるという間欠運転を行うように制御する点にある。これは、再熱除湿運転を行うと、図１０に示すように、室温を設定温度に保ったまま除湿が行えるため、快適性を得ることができる。しかしその反面、再熱除湿運転は、室温が一定に保たれることからサーモオフが起き難く、図９のような連続運転を行うと消費電力が大幅に上昇するという課題を解決するものである。
【００２４】
このように、本実施例の空気調和機は、再熱除湿運転時において、制御部２０が圧縮機１０に対して所定時間停止させ、所定時間運転させる間欠運転制御を行うことにより、消費電力の低減化を図っている。一方、空気調和機は、一般的に温度、湿度、風量、風向等を適宜調節することで、人が快適に過ごせる室内環境を作り出すことを目的としている。このため、本実施例の空気調和機では、快適性を維持しつつ、消費電力の低減化を図るように制御することが望ましい。
【００２５】
そこで、人の感じる体感温度は、図３に示すように、気温と湿度以外にも、空気調和機から吹き出される風速、室内の物体から発せられる放射温度、人の活動状態を表す代謝量、人が着ている衣服の量を示す着衣料などに基づいて種々の指標が用いられている。例えば、風速、湿度を考慮した指標としては、有効温度ＥＴ（℃）、標準新有効温度ＳＥＴ＊（℃）、予測温冷感申告ＰＭＶがあり、これ以外の一般的な指標としては、リンケ体感温度（℃）、ミスナール体感温度（℃）、不快指数などがある。上記の有効温度ＥＴ（℃）は、気温、風速、湿度を要素としている。標準新有効温度ＳＥＴ＊（℃）は、米国暖房・冷房・空調学会（ＡＳＨＲＥＡ）の温冷感覚の標準指標であって、気温、風速、湿度、放射温度、代謝量、着衣料を要素としている。予測温冷感申告ＰＭＶは、ＩＳＯ７７３０に規定されている温冷感覚の指標であり、気温、風速、湿度、放射温度、代謝量、着衣料を要素としている。また、リンケ体感温度（℃）は、気温と、風速による体感温度の変化を表したもので、気温と風速を要素としている。ミスナール体感温度（℃）は、気温と湿度による体感温度の変化を表したもので、気温と湿度を要素としている。不快指数は、夏季の蒸し暑さを数値で表したもので、気温と湿度の組み合わせで求められる。
【００２６】
上記指標のうち、空気調和機側で調整可能な要素は、気温、風速、湿度である。それ以外の要素については、一般的な条件で固定化し、気温、風速、湿度のうち、特に、気温と湿度との関係に着目し、空気調和機の設定温度に対してどの程度以上の湿度になると不快と感じるかを事前に調べておく必要がある。
【００２７】
そして、再熱除湿運転中は、一定の温度と湿度に保たれているが、圧縮機１０を停止させると、一般的には温度と湿度が時間の経過と共に上昇し、一定の時間経過後には人が不快と感じる条件になる。そこで、本実施例の空気調和機は、圧縮機１０を停止させてから不快と感じる条件になる前に圧縮機１０の運転を再開させて再熱除湿運転を行い、当初の設定温度と湿度に戻った時点で、圧縮機１０を停止させるという間欠運転を繰り返すようにする。このような制御動作は、温度センサと湿度センサとを用いて温度、湿度を常に検知して、所定の温度、湿度を検知すると運転開始、停止する制御することも可能である。しかし、本実施例の空気調和機では、制御をより簡略化するため、設定温度あるいは設定湿度に対して検知された室内温度、室内湿度、および、外気温度に対応するように、圧縮機１０の停止時間と運転時間とをそれぞれ複数を図１に示すメモリ１８に記憶させ、それを適宜選択するように構成している。
【００２８】
このような制御を行うため、本実施例の空気調和機４０は、図１に示すように、室内側熱交換器３０の室内吸込空気Ｘ（白抜き矢印）の取り込み口付近に室内温度センサ１５と室内湿度センサ１６とを配置し、室内温度と室内湿度を検知できるようにしている。また、室外熱交換器１１の風上側には、外気温度センサ２１を配置し、外気温度を検知できるようにしている。そして、それらの検知データは、全て制御部２０に送られる。制御部２０は、検知された温度データと湿度データとをメモリ１８に記憶されている環境条件とを照合し、該当する環境条件に対応した運転パターンを選択して、圧縮機１０を間欠運転するように制御する。その際、制御部２０は、計時部１９を用いることで圧縮機１０の停止時間と運転時間を管理、制御している。
【００２９】
本実施例にかかる空気調和機４０は、制御部２０が予めメモリ１８に記憶された複数の再熱除湿運転時の停止時間と運転時間の中から環境条件に応じて停止時間または運転時間を選択するようにしている。図１および図２に示すメモリ１８には、再熱除湿運転時における室内温度、設定温度、外気温度等の環境条件に基づいて、これらに対応するように圧縮機を停止させる長さの異なる複数の停止時間と、室内温度、設定温度、室内湿度の環境条件に基づいて、これらに対応するように圧縮機を運転させる長さの異なる複数の運転時間が予めメモリ１８に記憶されている。そして、本実施例の制御部２０は、上記環境条件に対応した圧縮機の停止時間、あるいは、運転時間をメモリ１８から読み出すようにしているが、これに限定されず、運転時間と停止時間を対として複数の運転パターンを記憶させて、室内温度、設定温度、室内湿度の環境条件に基づいて、運転パターンを選択してもよい。
【００３０】
また、図２に示す各種弁開閉部２７は、制御部２０からの指令によって各種弁（２２〜２６）の開閉駆動や切り換え駆動を行うドライブ回路である。
【００３１】
さらに、図２に示す受信部２８は、ユーザがリモコン１７で操作した操作信号やリモコン１７を使って設定した設定信号が無線あるいは赤外線通信により送られて来ると、これを受信してその受信した操作信号を制御部２０に出力する。その設定信号の中には、本実施例で必要なユーザ側で設定する設定温度や設定湿度等の設定情報が含まれている。
【００３２】
このように構成された本実施例にかかる空気調和機の動作について、涼風運転モードで説明する。この涼風運転モードは、消費電力を抑えつつ、環境条件（室内温度、設定温度、室内湿度、室内設定湿度、外気温度等）に応じて再熱除湿運転、冷房運転、送風運転をそれぞれ使い分けながら運転して、設定温度を保って、除湿するように制御する運転モードである。本実施例の特徴的な制御動作は、再熱除湿運転時において、圧縮機１０の運転時間と運転停止時間を環境条件に応じて選択し、間欠運転を行う点にある。
【００３３】
図４は、本実施例にかかる空気調和機の涼風運転モードにおける制御動作例を説明するフローチャートであり、特に、本実施例の特徴的な制御動作は、再熱除湿運転時において、圧縮機１０の運転時間と運転停止時間を環境条件に応じて選択し、間欠運転を行う点にある。図５は、図４の涼風運転モードにおける再熱除湿運転中の消費電力と経過時間との関係を示す線図であり、図６は、図５の再熱除湿運転中の室温の変化を示す線図である。
【００３４】
具体的には、図４に示すように、涼風運転モードによる運転制御を開始すると、制御部２０は、現在の室内温度からユーザが設定した設定温度を引いた温度差（ΔＴ）が−２℃から＋２℃の範囲に入っているか否かを判断する（ステップＳ１００）。
【００３５】
ΔＴが−２℃未満か＋２℃を超えると判断した場合（ステップＳ１００でＮｏ）、制御部２０は、さらにΔＴが＋２℃を超えるか否かを判断し（ステップＳ１２１）、ΔＴが＋２℃を超えている場合は（ステップＳ１２１でＹｅｓ）、ΔＴが−２℃から＋２℃の範囲に入るまで冷房運転を継続させる（ステップＳ１２３→Ｓ１００→Ｓ１２１）。
【００３６】
この冷房運転時における冷凍サイクルは、図１および図２に示すように、制御部２０が各種弁開閉部２７を駆動制御することで、第１電磁弁２５および第２電磁弁２６を開き、室外電子膨張弁２３で減圧調整し、室内電子膨張弁２４を閉じて、圧縮機１０を運転することにより、冷媒は圧縮機１０→四方弁２２→室外熱交換器１１→室外電子膨張弁２３→第１室内熱交換器１２と第２室内熱交換器１３に分岐し、合流した後、四方弁２２から圧縮機１０に戻るように構成される。このように、空気調和機４０は、冷房運転時に第１室内熱交換器１２と第２室内熱交換器１３の両方を蒸発器として使用できるため、室内送風機１４を回転させると、室内吸込空気Ｘ（白抜き矢印）が低湿度低温空気となり、室内吹出空気Ｙ（白抜き矢印）が室内に戻される。
【００３７】
ステップＳ１２１において、ΔＴが＋２℃を超えていない場合、つまりΔＴが−２℃未満と判断した場合は（ステップＳ１２１でＮｏ）は、室温が設定温度より低いので圧縮機の運転を停止し、室内送風機１４を回転させて送風運転にし、ΔＴが−２℃から＋２℃の範囲に入るまで継続させる（ステップＳ１２２→Ｓ１００→Ｓ１２１）。
【００３８】
上記ステップＳ１００において、ΔＴが−２℃から＋２℃の範囲内であれば（ステップＳ１００でＹｅｓ）、制御部２０は、再熱除湿運転を開始させる（ステップＳ１０１）。
【００３９】
この再熱除湿運転時における冷凍サイクルは、図１および図２に示すように、制御部２０が各種弁開閉部２７を駆動制御することで、第１電磁弁２５および第２電磁弁２６を閉じ、室外電子膨張弁２３を開き、室内電子膨張弁２４で減圧調整して、圧縮機１０を運転することにより、冷媒は圧縮機１０→四方弁２２→室外熱交換器１１→室外電子膨張弁２３→第１室内熱交換器１２→室内電子膨張弁２４→第２室内熱交換器１３を経由して、再び四方弁２２から圧縮機１０に戻るように構成される。この時、制御部２０は、室内送風機１４を回転させることで、室内吸込空気Ｘ（白抜き矢印）が第２室内熱交換器１３で除湿冷却された後、第１室内熱交換器１２で再加熱されて低湿度高温空気となり、室内吹出空気Ｙ（白抜き矢印）が室内に戻される。
【００４０】
制御部２０は、再熱除湿運転を開始するとともに経過時間を計時部１９でカウントさせ、所定時間（記憶部に記憶された初期値で例えば、３０分間）するまでは再熱除湿運転を継続する（ステップＳ１０２でＮｏ）。所定時間経過した場合（ステップＳ１０２でＹｅｓ）にはΔＴが−２℃から＋２℃の範囲に入っているか否かを判断する（ステップＳ１０３）。
【００４１】
ステップＳ１０３において、制御部２０は、ΔＴが−２℃未満か＋２℃を超えると判断した場合（ステップＳ１０３でＮｏ）、さらにΔＴが＋２℃を超えるか否かを判断し（ステップＳ１２１）、ΔＴが＋２℃を超えている場合は（ステップＳ１２１でＹｅｓ）、ΔＴが−２℃から＋２℃の範囲に入るまで冷房運転を継続させ（ステップＳ１２３→Ｓ１００→Ｓ１２１）、ΔＴが＋２℃を超えていない場合（ステップＳ１２１でＮｏ）は、室温が設定温度より低いのでΔＴが−２℃から＋２℃の範囲に入るまで送風運転を継続させる（ステップＳ１２２→Ｓ１００→Ｓ１２１）。
【００４２】
また、ステップＳ１０３において、制御部２０は、ΔＴが−２℃から＋２℃の範囲内であれば（ステップＳ１０３でＹｅｓ）、さらにΔＴが０℃以下か否かを判断し（ステップＳ１０４）、ΔＴが０℃以下の場合は（ステップＳ１０４でＹｅｓ）、圧縮機の運転停止時間をＡ（例えば、１０分）と設定して（ステップＳ１０５）、圧縮機の運転を停止させる（ステップＳ１０７）。
【００４３】
ステップ１０４において、ΔＴが０℃を越えた場合（ステップＳ１０４でＮｏ）、圧縮機の運転停止時間をＢ（例えば、５分）と設定して（ステップＳ１０６）、圧縮機の運転を停止させる（ステップＳ１０７）。
【００４４】
制御部２０は、圧縮機の運転を停止させるとともに経過時間を計時部１９でカウントさせ、設定された停止時間（例えば、Ａであれば１０分）が経過するまでは圧縮機を停止させて（ステップＳ１０８でＮｏ）、設定された停止時間が経過したとき（ステップＳ１０８でＹｅｓ）にはΔＴが−２℃から＋２℃の範囲に入っているか否かを判断する（ステップＳ１０９）。
【００４５】
ステップＳ１０９において、制御部２０は、ΔＴが−２℃未満か＋２℃を超えたと判断した場合（ステップＳ１０９でＮｏ）、さらにΔＴが＋２℃を超えたか否かを判断し（ステップＳ１２１）、ΔＴが＋２℃を超えている場合は（ステップＳ１２１でＹｅｓ）、ΔＴが−２℃から＋２℃の範囲に入るまで冷房運転を継続させ（ステップＳ１２３→Ｓ１００→Ｓ１２１）、ΔＴが＋２℃を超えていない場合（ステップＳ１２１でＮｏ）は、室温が設定温度より低いのでΔＴが−２℃から＋２℃の範囲に入るまで送風運転を継続させる（ステップＳ１２２→Ｓ１００→Ｓ１２１）。
【００４６】
また、ステップＳ１０９において、制御部２０は、ΔＴが−２℃から＋２℃の範囲内であれば（ステップＳ１０９でＹｅｓ）、室内の湿度が６０％未満か否かを判断し（ステップＳ１１０）、湿度が６０％未満の場合（ステップＳ１１０でＹｅｓ）、再熱除湿運転の所定時間をα（例えば、１０分）と設定し、Ｓ１０１に戻り再熱除湿運転を開始させて、上述の動作が繰り返される。湿度が６０％以上の場合（ステップＳ１１０でＮｏ）、再熱除湿運転の所定時間をβ（例えば、２０分）と設定し、Ｓ１０１に戻り再熱除湿運転を開始させて、上述の動作が繰り返される。
【００４７】
このように、本実施例の空気調和機の制御部２０は、再熱除湿運転になって所定時間経過後の室内温度とユーザが設定した設定温度との差（ΔＴ）が所定の範囲内に入ると圧縮機１０を停止させる。この時、温度差ΔＴに応じて圧縮機１０の停止時間が変わる。即ち、温度差ΔＴの温度が高い場合は（ステップＳ１０４でＮｏ）、圧縮機１０を停止してから所定の温度範囲内を維持できる時間が短くなり易いことから、圧縮機１０の停止時間を短くする（ステップＳ１０６）。また、温度差ΔＴの温度が低い場合は（ステップＳ１０４でＹｅｓ）、圧縮機１０を停止してから所定の温度範囲内を維持できる時間が長くなることから、圧縮機１０の停止時間を長く設定するようにしている（ステップＳ１０５）。
【００４８】
また、圧縮機の運転停止時間が所定の停止時間経過後の室内温度と設定温度との差（ΔＴ）が所定の範囲内であれば再熱除湿運転を開始するが、この時、室内の湿度が所定湿度（ここでは６０％）未満か否かで再熱除湿運転の運転時間が変わる。即ち、室内の湿度が所定湿度より低ければ室内環境の快適性が維持できているので、再熱除湿の運転時間を短くし、所定湿度より高ければ快適性が劣るので再熱除湿の運転時間を長く設定されるようにしている。
【００４９】
上記実施例では、再熱除湿運転の停止時間の設定を室内温度と設定温度との差（ΔＴ）に応じて設定するようになっているが、別な実施例として外気温度を用いた例がある。これは、図４のフローチャートではステップＳ１０４の部分だけが相違するので、ステップＳ１０４を置き換えて説明する。
【００５０】
ステップＳ１０４において、制御部２０は、外気温度センサ２１により現在の外気温度が一定の外気温度（例えば３０℃）を超えていないと判断すると（ステップＳ１０４でＹｅｓ）圧縮機の運転停止時間をＡ（例えば、１０分）と設定し（ステップＳ１０５）、外気室温が３０℃を越えた場合（ステップＳ１０４でＮｏ）、圧縮機の運転停止時間をＢ（例えば、５分）と設定して（ステップＳ１０６）、圧縮機の運転を停止させる（ステップＳ１０７）。
【００５１】
つまり、ここでは外気温度が一定温度３０℃以下か否かで区別し、外気温度が高い場合（３０℃を超える場合）は、室内温度との温度差が大きくなり、圧縮機１０を停止してから室内環境の快適性を維持できる時間が短くなり易いことから、圧縮機１０の停止時間を短くし、３０℃以下に場合には停止時間を長くするようにしたものである。
【００５２】
そして、本実施例では再熱除湿運転後に圧縮機１０を停止させる間、制御部２０は室内送風機１４の運転は継続させるように制御する。これは、体感温度が図３に示すように、気温と湿度だけでなく、風速にも影響されることから、圧縮機１０の停止中であっても送風運転を継続することでより快適に感じることができるからである。
【００５３】
本実施例にかかる空気調和機は、上記のように制御を行った結果、再熱除湿運転時における消費電力は、図５に示すように、再熱除湿運転時にもかかわらず適切なタイミングで間欠運転を行うことが可能となり、図９に示す従来の再熱除湿運転時の消費電力と比べると、大幅に低減することができる。また、本実施例では、温度上昇要因である外気温度を参照して停止時間を設定するようにしたため、実際の環境条件に応じてできるだけ室温の変化を抑える方向で圧縮機の運転、停止を制御することが可能となる。このように制御することにより、図６に示すように本実施例の室温の変化は、２８℃〜２９℃で室内温度と設定温度との温度差（ΔＴ）は＋１℃の幅に納まっているのに対して、図８に示す冷房除湿運転中の室温の変化は、２６℃〜３０℃で室内温度と設定温度との差（ΔＴ）は±２℃の幅があり、本実施例の方が温度変化を少なくすることでより快適性が得られる。
【００５４】
なお、本実施例では、図４に示すように、再熱除湿運転の停止時間と運転時間をそれぞれ２種類から選択した例を示したが、これに限定されず、より条件設定を細分化することによって増やすようにしても良い。
【００５５】
また、本実施例では、最初の再熱除湿運転開始時の運転時間を予め記憶された時間として説明したが、運転開始時の室内湿度（ＲＨ）を室内湿度センサ１６で検知し、その室内湿度に応じて予め記憶された運転時間を選択するように制御しても良い。
【００５６】
また、本実施例では、図１に示すような冷凍サイクルの構成を用いて再熱除湿運転を行ったが、この構成に限定されず、例えば、暖房運転の機能を持たない空気調和機の場合には四方弁が必要なくなるが、四方弁をなくしても本発明と同様な効果を得ることができる。
【００５７】
また、本実施例では、図２に示すように、制御部２０を１つとして説明したが、室内機側と室外機側にそれぞれ制御部を備えた構成し、協働して空調の制御をしても良い。
【００５８】
また、本実施例では、再熱除湿運転を行う場合に、制御部２０は、圧縮機１０を停止させている間の室内送風機１４の運転を継続させるように制御したが、それに加えて風速あるいは風向を制御するようにしても良い。例えば、圧縮機１０の停止中の風速については、圧縮機１０の運転中と同じか、運転中よりも一段階上げるように制御することで、圧縮機１０の運転停止中における快適性を補うことが可能になる。また、圧縮機１０の停止中の風向についても体感温度に影響するため、可能な限り人の居る方へ送風することが望ましい。このため、例えば図１には図示していないが、空気調和機の前面に人の存在を感知する人感センサを設けると共に、室内吹出空気Ｙを吹き出し口のルーバーを任意の方向に駆動可能なように構成し、少なくとも圧縮機の運転停止中の風向を人の居る方に送風するように制御部２０が制御することによって、圧縮機１０の運転停止中における快適性（涼風感）をより高めることが可能になる。
【産業上の利用可能性】
【００５９】
以上のように、本発明にかかる空気調和機は、再熱除湿運転可能な空気調和機に有用であり、特に、再熱除湿運転時における消費電力を低減しつつ、設定温度に対して温度変化が少ない上、除湿能力の落ち難い、快適性の高い空気調和機に適している。
【符号の説明】
【００６０】
１０  圧縮機
１１  室外熱交換器
１２  第１室内熱交換器
１３  第２室内熱交換器
１４  室内送風機
１５  室内温度センサ
１６  室内湿度センサ
１７  リモコン
１８  メモリ
１９  計時部
２０  制御部
２１  外気温度センサ
２２  四方弁
２３  室外電子膨張弁（減圧器）
２４  室内電子膨張弁（減圧器）
２５  第１電磁弁
２６  第２電磁弁
２７  各種弁開閉部
２８  受信部
２９  室外送風機
３０  室内側熱交換器
４０  空気調和機
【図１】
2013204937.tif 000003
【図２】
2013204937.tif 000004
【図３】
2013204937.tif 000005
【図４】
2013204937.tif 000006
【図５】
2013204937.tif 000007
【図６】
2013204937.tif 000008
【図７】
2013204937.tif 000009
【図８】
2013204937.tif 000010
【図９】
2013204937.tif 000011
【図１０】
2013204937.tif 000012